(57)【要約】【課題】外部電極蛍光管の外部電極部を液晶表示パネルの表示領域内に存在させた場合の当該外部電極領域の輝度低下による輝度むらの発生を改善して狭額縁化を実現した液晶表示装置を提供する。【解決手段】サイドフレームＳＦＬには、複数の外部電極蛍光管ＥＥＦＬの外部電極ＥＥを並列に接続して個別に給電する端子ＴＭを形成した給電電極ＴＭＢが長手方向の略全長にわたって設置されている。上サイドフレームＳＦＬ―Ａは液晶表示パネル方向を向いた傾斜を持つ壁面Ｗ１と、壁面Ｗ１から外部電極蛍光管ＥＥＦＬ側に壁面Ｗ１よりも急角度の傾斜をもつ壁面Ｗ２を有する。壁面Ｗ２には、外部電極蛍光管ＥＥＦＬの外部電極ＥＥの上方を覆う庇ＰＮＴが形成されている。庇ＰＮＴは、上サイドフレームＳＦＬ―Ａから外部電極蛍光管ＥＥＦＬの長手方向に突出して漸次径小となる切頭円錐形を複数の外部電極蛍光管ＥＥＦＬの配列面に並行な面で半断した半切頭円錐形とする。【選択図】図２
2008058851.tif 000002
【特許請求の範囲】
【請求項１】
液晶表示パネルと、該液晶表示パネルの背面に設置したバックライト構造体とから構成される液晶表示装置であって、
前記バックライト構造体は、
裏面プレートと枠状のモールドフレームの間に、並列に配置された複数の外部電極蛍光管と、
複数の前記外部電極蛍光管の電極部を電気的に並列に接続する給電端子を備えた一対のサイドフレームとを有し、
前記サイドフレームは、前記給電端子を固定する下サイドフレームと、前記給電端子に接続した前記外部電極蛍光管の電極部をカバーして前記下サイドフレームに組み付けられる上サイドフレームとで構成され、
前記上サイドフレームには、前記外部電極蛍光管の電極部のそれぞれを個別に覆って当該外部電極蛍光管の長手方向に突出する庇を備えたことを特徴とする液晶表示装置。
【請求項２】
請求項１において、
前記庇は、前記上サイドフレームから前記外部電極蛍光管の長手方向に突出して漸次径小となる切頭円錐形を前記複数の外部電極蛍光管の配列面に並行な面で半断した半切頭円錐形であることを特徴とする液晶表示装置。
【請求項３】
請求項１において、
前記庇は、前記上サイドフレームから前記外部電極蛍光管の長手方向に突出して前記複数の外部電極蛍光管の配列面に並行な短冊形であることを特徴とする液晶表示装置。
【請求項４】
請求項１において、
前記庇は、前記上サイドフレームから前記外部電極蛍光管の長手方向に突出して前記複数の外部電極蛍光管の前記外部電極を上方から覆う底面と、この底面の前記外部電極蛍光管の長手方向の沿う両側を当該外部電極蛍光管側に折り曲げた側面とを有する逆さ樋形であることを特徴とする液晶表示装置。
【請求項５】
請求項１において、
前記庇は、前記上サイドフレームから前記外部電極蛍光管の長手方向に突出して前記複数の外部電極蛍光管の配列面に並行、かつ当該外部電極蛍光管に沿って前記外部電極を上方から覆う部分円弧形であることを特徴とする液晶表示装置。
【請求項６】
液晶表示パネルと、該液晶表示パネルの背面に設置したバックライト構造体とから構成される液晶表示装置であって、
前記バックライト構造体は、
裏面プレートと枠状のモールドフレームの間に、並列に配置された複数の外部電極蛍光管と、
複数の前記外部電極蛍光管の電極部を電気的に並列に接続する給電端子を備えた一対のサイドフレームとを有し、
前記サイドフレームは、前記給電端子を固定する下サイドフレームと、前記給電端子に接続した前記外部電極蛍光管の電極部をカバーして前記下サイドフレームに組み付けられる上サイドフレームとで構成され、
前記上サイドフレームには、複数の前記外部電極蛍光管の間で、かつ電極部の一部を含む当該外部電極蛍光管の下側に延びる舌片を備えたことを特徴とする液晶表示装置。
【請求項７】
請求項６において、
前記舌片は、短冊形であることを特徴とする液晶表示装置。
【請求項８】
請求項６において、
前記舌片は、その断面の少なくとも一部が山形であることを特徴とする液晶表示装置。
【請求項９】
液晶表示パネルと、該液晶表示パネルの背面に設置したバックライト構造体とから構成される液晶表示装置であって、
前記バックライト構造体は、
裏面プレートと枠状のモールドフレームの間に、並列に配置された複数の外部電極蛍光管と、
複数の前記外部電極蛍光管の電極部を電気的に並列に接続する給電端子を備えた一対のサイドフレームとを有し、
前記サイドフレームは、前記給電端子を固定する下サイドフレームと、前記給電端子に接続した前記外部電極蛍光管の電極部をカバーして前記下サイドフレームに組み付けられる上サイドフレームとで構成され、
前記上サイドフレームには、前記外部電極蛍光管の電極部のそれぞれを個別に覆って当該外部電極蛍光管の長手方向に突出する庇と、複数の前記外部電極蛍光管の間で、かつ電極部の一部を含む当該外部電極蛍光管の下側に延びる舌片とを備えたことを特徴とする液晶表示装置。
【請求項１０】
請求項９において、
前記庇は、前記上サイドフレームから前記外部電極蛍光管の長手方向に突出して漸次径小となる切頭円錐形を前記複数の外部電極蛍光管の配列面に並行な面で半断した半切頭円錐形、前記上サイドフレームから前記外部電極蛍光管の長手方向に突出して前記複数の外部電極蛍光管の配列面に並行な短冊形、前記上サイドフレームから前記外部電極蛍光管の長手方向に突出して前記複数の外部電極蛍光管の前記外部電極を上方から覆う底面と、この底面の前記外部電極蛍光管の長手方向の沿う両側を当該外部電極蛍光管側に折り曲げた側面とを有する逆さ樋形、前記上サイドフレームから前記外部電極蛍光管の長手方向に突出して前記複数の外部電極蛍光管の配列面に並行、かつ当該外部電極蛍光管に沿って前記外部電極を上方から覆う部分円弧形の何れかであることを特徴とする液晶表示装置。
【請求項１１】
請求項９において、
前記舌片は、短冊形、断面の少なくとも一部が山形の何れかであることを特徴とする液晶表示装置。
【発明の詳細な説明】
【技術分野】
【０００１】
本発明は、液晶表示装置に係り、特に、外部電極蛍光管（External Electrode Fluorescent Lamp：ＥＥＦＬ）を用いたバックライト構造体に関する。
【背景技術】
【０００２】
テレビや情報端末のディスプレイデバイスとして、液晶表示装置が広く普及している。通常、この種の比較的サイズが大きく、画面の高輝度が要求される液晶表示装置では、その補助照明装置であるバックライト構造体は液晶表示パネルの背面に複数の線状光源を配列して当該線状光源からの光を液晶表示パネルの背面に直接照明する、所謂直下ライト型バックライト構造体が用いられる。ここで言う「直下ライト型」という呼称は、液晶表示パネルの背面に設置した導光板の側辺に同じような線状光源を設けて照明を行う、所謂サイドライト型バックライト構造体と対照される表現である。
【０００３】
直下ライト型バックライト構造体では、線状光源として、冷陰極蛍光管（Cold Cathode Fluorescent Lamp：ＣＣＦＬ）が多く用いられている。一般的に、直下ライト型バックライト構造体内では、複数のＣＣＦＬが並列に設置される。しかしながら、ＣＣＦＬでは、１本或いは２本に１つの蛍光管に直接インバータ回路を接続するために、それぞれの管からインバータ回路へ配線する必要があり、複雑な配線を必要としていた。このような構成を示す例として、特許文献１や、特許文献２がある。
【０００４】
近年、ＣＣＦＬに代えて、外部電極蛍光管（External Electrode Fluorescent Lamp：ＥＥＦＬ）が用いられ始めている。ＥＥＦＬは、既存のＣＣＦＬと異なり、管外に電極を持ち、接続が容易であることに加え、インバータ回路に対して複数本の蛍光管を並列接続することも可能としている。したがってＥＥＦＬでは、この並列接続を生かし、それぞれの管からインバータ回路への接続は、共通配線で行うことが可能となっており、省配線化が可能である。また、使用するインバータ回路の数もＣＣＦＬよりもＥＥＦＬの方が少なくてすむ。このようなＥＥＦＬを用いた例として、特許文献３や特許文献４がある。
【特許文献１】特開２００２−２３１０３４号公報
【特許文献２】特開平６−２３０３８２号公報
【特許文献３】特開２００５−３４７２５９号公報
【特許文献４】特開２００４−１６４９０７号公報
【発明の開示】
【発明が解決しようとする課題】
【０００５】
外部電極蛍光管の外部電極は、当該外部電極蛍光管の管長が長くなるほど管軸方向での形成領域が長くなる特徴を有する。外部電極蛍光管の発光領域を液晶表示パネルの表示領域に合わせると、外部電極の領域が占有する外周（額縁）の幅が広くなって、外部電極蛍光管の両端領域での輝度が低下してしまう。これは、液晶表示装置のサイズが大きくなるほど顕著となる。このことは、近年の狭額縁化の要求を満たすことが難しいことを意味する。したがって、外部電極蛍光管の外部電極を額縁領域の内側においた場合の非発光領域である当該外部電極部の輝度低下を改善する必要がある。
【０００６】
本発明の目的は、外部電極蛍光管の外部電極部を液晶表示パネルの表示領域内に存在させた場合の当該外部電極領域の輝度低下による輝度むらの発生を改善して狭額縁化を実現した液晶表示装置を提供することにある。
【課題を解決するための手段】
【０００７】
本発明の液晶表示装置は、液晶表示パネルと、該液晶表示パネルの背面に設置したバックライト構造体とから構成される。前記バックライト構造体は、裏面プレートと枠状のモールドフレームの間に、並列に配置された複数の外部電極蛍光管と、複数の前記外部電極蛍光管の外部電極（電極部）を電気的に並列に接続する給電端子を備えた一対のサイドフレームとを有し、前記サイドフレームは、前記給電端子を固定する下サイドフレームと、前記給電端子に接続した前記外部電極蛍光管の電極部をカバーして前記下サイドフレームに組み付けられる上サイドフレームとで構成される。
【０００８】
そして、上記目的を達成するため、本発明は、前記上サイドフレームに、前記外部電極蛍光管の外部電極のそれぞれを個別に覆って当該外部電極蛍光管の長手方向に突出する庇を備えた。
【０００９】
また、本発明は、前記上サイドフレームに、複数の前記外部電極蛍光管の間で、かつ外部電極の一部を含む当該外部電極蛍光管の下側に延びる舌片を備えた。
【００１０】
また、前記上サイドフレームに設ける庇と舌片とを組み合わせることもできる。これら庇と舌片としては種々の構成、形状が採用でき、その代表例が後述の実施例で説明される。
【発明の効果】
【００１１】
前記上サイドフレームに設ける庇および/または舌片は、外部電極領域の輝度改善機能を有し、液晶表示パネルの額縁を広く取ることなしに、表示領域全面で良好な輝度分布をもつ液晶表示装置が実現される。なお、庇は外部電極領域の輝度改善機能に加えて、当該外部電極に印加される高電圧に対する感電保護の機能も有する。
【発明を実施するための最良の形態】
【００１２】
以下、本発明の最良の実施形態を実施例の図面を参照して詳細に説明する。なお、以下に説明する実施例の各図面において、同一機能を有するものには同一符号を付し、特に必要な場合を除いて、その繰り返しの説明はしない。また、以下の図面において、直線矢印は光の反射経路を示す。
【実施例１】
【００１３】
図１は、本発明による液晶表示装置で用いられるバックライト構造体の実施例を説明する展開斜視図である。このバックライト構造体は、直下ライト型である。本実施例のバックライト構造体は、裏面プレートＲＰＬとモールドフレームＭＬＤとの間に、反射シートＲＦＢ、線状光源としての複数の外部電極蛍光管ＥＥＦＬの両端を固定保持し給電する端子ＴＭを備えた下サイドフレームＳＦＬ―Ｂと、外部電極蛍光管ＥＥＦＬの外部電極部分を覆う庇を備えた上サイドフレームＳＦＬ―ＡとからなるサイドフレームＳＦＬと、拡散板ＤＦＢと、プリズムシートや拡散シートを積層した光学補償シート類ＯＣＳが配置される。
【００１４】
なお、この構成のバックライト構造体では、大サイズの拡散板ＤＦＢの撓みによる照度分布の不均一を抑制するためのスペーサＳＰＣを裏面プレートＲＰＬに植立させ、反射シートＲＦＢに設けた穴を通して拡散板ＤＦＢの裏面に当接させている。そして、スペーサＳＰＣに長尺の蛍光管ＥＦＬの撓みを抑制する枝状突起構造を設けることもできる。図示しない液晶表示パネルは、モールドフレームＭＬＤ上に配置されることになる。また、外部電極蛍光管ＥＥＦＬを制御するインバータ回路基板は、裏面プレートＲＰＬの蛍光管が設置される面と反対側の面に搭載される。
【００１５】
液晶表示装置の組み立てでは、液晶表示パネルとバックライト構造体とをそれぞれの工程で組み立てた後、バックライト構造体の上に液晶表示パネルを重ねて一体化する。バックライト構造体は、図１に示した複数部材を組み立てることで得られる。すなわち、裏面プレートＲＰＬに反射シートＲＦＢを置き、左右両端に下サイドフレームＳＦＬ―Ｂを設置して、両者に有する端子ＴＭの間に外部電極蛍光管ＥＥＦＬを橋渡してセットし、上サイドフレームＳＦＬ―Ａで外部電極と端子ＴＭ部分をカバーする。このサイドフレームＳＦＬの上に拡散板ＤＦＢを置き、その上に光学補償シート類ＯＣＳを積層した後、枠状のモールドフレームＭＬＤを設置して、ねじ等で全体を一体に固定し、直下型バックライト構造体を完成する。直下型バックライト構造体の上に図示しない液晶表示パネルを重ねて液晶表示装置とする。
【００１６】
本実施例のバックライト構造体は、サイドフレームＳＦＬの図１におけるサイドフレームＳＦＬの構造に特徴を有する。以下、この特徴部分について図２〜図４を用いて説明する。図２は、図１のサイドフレームＳＦＬの要部を拡大した図である。また、図３は、図２の切断面Ａで切断した断面図である。そして、図４は、図２の切断面Ｂで切断した断面図である。
【００１７】
サイドフレームＳＦＬには、複数の外部電極蛍光管ＥＥＦＬの外部電極ＥＥを並列に接続して個別に給電する端子ＴＭを形成した給電電極ＴＭＢが長手方向の略全長にわたって設置されている。端子ＴＭは外部電極蛍光管ＥＥＦＬの外部電極ＥＥを受けて両側から弾性保持する如く複数（ここでは、３個）に分割した電極対を図３の紙面に垂直な方向に突出して形成されている。なお、図２では、図面の煩雑さを避けるために、外部電極蛍光管ＥＥＦＬは二本だけ装着してある。
【００１８】
上サイドフレームＳＦＬ―Ａは液晶表示パネル方向を向いた傾斜を持つ壁面Ｗ１と、壁面Ｗ１から外部電極蛍光管ＥＥＦＬ側に壁面Ｗ１よりも急角度の傾斜をもつ壁面Ｗ２を有する。壁面Ｗ２には、外部電極蛍光管ＥＥＦＬの外部電極ＥＥの上方を覆う庇ＰＮＴが形成されている。実施例１の庇ＰＮＴは、上サイドフレームＳＦＬ―Ａから外部電極蛍光管ＥＥＦＬの長手方向に突出して漸次径小となる切頭円錐形を複数の外部電極蛍光管ＥＥＦＬの配列面に並行な面で半断した半切頭円錐形である。
【００１９】
図３に示したように、半切頭円錐形の庇ＰＮＴは外部電極蛍光管ＥＥＦＬの外部電極ＥＥを覆っており、印加される高電圧から組み立て作業員を保護する。また、半切頭円錐形の庇ＰＮＴは外部電極蛍光管ＥＥＦＬの発光の一部を液晶表示パネル側、あるいは壁面Ｗ１と壁面Ｗ２に反射させて外部電極蛍光管ＥＥＦＬの両端における液晶表示パネルの照明光の輝度不足を改善する機能をもつ。
【００２０】
また、図４に示したように、半切頭円錐形の庇ＰＮＴの間にある壁面Ｗ２も外部電極蛍光管ＥＥＦＬの発光の一部を液晶表示パネル側に反射させて外部電極蛍光管ＥＥＦＬの両端における液晶表示パネルの照明光の輝度不足を改善する機能をもつ。
【００２１】
なお、上サイドフレームＳＦＬ―Ａの壁面Ｗ１の角度βと壁面Ｗ２の角度αは、外部電極蛍光管ＥＥＦＬの管軸長さと配置間隔、輝度、外部電極ＥＥの領域の大きさなどを考慮し、液晶表示パネル照明光の輝度分布のむらが少なくなくように選定する。
【００２２】
実施例１によれば、液晶表示装置の額縁を広く取ることなしに、表示領域全面で良好な輝度分布をもつ液晶表示装置が実現される。また、外部電極領域の輝度改善機能に加えて、当該外部電極に印加される高電圧に対する感電から作業員が保護され、安全な組み立てができる。
【実施例２】
【００２３】
図５は、本発明の液晶表示装置の実施例２を説明する上サイドフレームの要部斜視図である。前記実施例の説明図と同一符号は同一機能部分に対応する。実施例２は、前記の庇ＰＮＴとして、上サイドフレームＳＦＬ−Ａから外部電極蛍光管ＥＥＦＬの長手方向に突出して複数の外部電極蛍光管の配列面に並行な短冊形としたものである。この短冊形の庇ＰＮＴは上サイドフレームＳＦＬ−Ａの壁面Ｗ２の下端から外部電極蛍光管ＥＥＦＬに並行に突出させて外部電極ＥＥを覆うようにしているが、この庇ＰＮＴを壁面Ｗ２の下端から外部電極蛍光管ＥＥＦＬに漸近するように傾斜させてもよい。その他の構成は実施例１と同様なので、繰り返しの説明はしない。
【００２４】
実施例２によっても、液晶表示装置の額縁を広く取ることなしに、表示領域全面で良好な輝度分布をもつ液晶表示装置が実現される。また、外部電極領域の輝度改善機能に加えて、当該外部電極に印加される高電圧に対する感電から作業員が保護され、安全な組み立てができる。
【実施例３】
【００２５】
図６は、本発明の液晶表示装置の実施例３を説明する上サイドフレームの要部斜視図である。前記実施例の説明図と同一符号は同一機能部分に対応する。実施例３は、前記の庇ＰＮＴとして、上サイドフレームＳＦＬ−Ａから外部電極蛍光管ＥＥＦＬの長手方向に突出して複数の外部電極蛍光管の外部電極ＥＥを上方から覆う底面と、この底面の前記外部電極蛍光管の長手方向の沿う両側を当該外部電極蛍光管側に折り曲げた側面とを有する逆さ樋形としたものである。
【００２６】
この逆さ樋形の庇ＰＮＴは上サイドフレームＳＦＬ−Ａの壁面Ｗ２の下端から外部電極蛍光管ＥＥＦＬに並行に突出させて外部電極ＥＥを覆うようにしているが、この庇ＰＮＴの底面を壁面Ｗ２の下端から外部電極蛍光管ＥＥＦＬに漸近するように傾斜させてもよい。その他の構成は実施例１と同様なので、繰り返しの説明はしない。
【００２７】
実施例３によっても、液晶表示装置の額縁を広く取ることなしに、表示領域全面で良好な輝度分布をもつ液晶表示装置が実現される。また、外部電極領域の輝度改善機能に加えて、当該外部電極に印加される高電圧に対する感電から作業員が保護され、安全な組み立てができる。
【実施例４】
【００２８】
図７は、本発明の液晶表示装置の実施例４を説明する上サイドフレームの要部斜視図である。前記実施例の説明図と同一符号は同一機能部分に対応する。実施例４は、前記の庇ＰＮＴとして、上サイドフレームＳＦＬ−Ａから外部電極蛍光管ＥＥＦＬの長手方向に突出して複数の外部電極蛍光管の配列面に並行、かつ当該外部電極蛍光管に沿って外部電極ＥＥを上方から覆う部分円弧形としたものである。
【００２９】
この部分円弧形の庇ＰＮＴは上サイドフレームＳＦＬ−Ａの壁面Ｗ２の下端から外部電極蛍光管ＥＥＦＬに並行に突出させて外部電極ＥＥを覆うようにしているが、この庇ＰＮＴを壁面Ｗ２の下端から外部電極蛍光管ＥＥＦＬに漸近するように傾斜させてもよい。その他の構成は実施例１と同様なので、繰り返しの説明はしない。
【００３０】
実施例４によっても、液晶表示装置の額縁を広く取ることなしに、表示領域全面で良好な輝度分布をもつ液晶表示装置が実現される。また、外部電極領域の輝度改善機能に加えて、当該外部電極に印加される高電圧に対する感電から作業員が保護され、安全な組み立てができる。
【実施例５】
【００３１】
図８は、本発明の液晶表示装置の実施例５を説明するサイドフレームの要部断面図である。図８は図１のサイドフレームＳＦＬの切断面Ｂに対応した断面に相当する。また、図９は、図８の上面図である。実施例５のサイドフレームＳＦＬも、給電端子（図示せず）を固定する下サイドフレームＳＦＬ―Ｂと、給電端子に接続した外部電極蛍光管ＥＥＦＬの外部電極ＥＥをカバーして下サイドフレームＳＦＬ―Ｂに組み付けられる上サイドフレームＳＦＬ―Ａとで構成される。
【００３２】
上サイドフレームＳＦＬ―Ａには、複数の外部電極蛍光管の間で、かつ外部電極ＥＥの一部を含む当該外部電極蛍光管の下側に延びる舌片ＴＮＧを備えている。この舌片ＴＮＧは短冊形である。図９に示したように、短冊形の舌片ＴＮＧは上サイドフレームＳＦＬ―Ａの壁面Ｗ１の下端から外部電極蛍光管ＥＥＦＬの間を通って図８に示したように外部電極蛍光管ＥＥＦＬの配列面よりも下側に延びている。この短冊形の舌片ＴＮＧを設けたことで、外部電極蛍光管ＥＥＦＬの側面から出た発光の一部が壁面Ｗ１の方向に反射し、外部電極ＥＥの領域の輝度を向上させる。なお、外部電極蛍光管ＥＥＦＬの発光の一部も壁面Ｗ１で反射して外部電極ＥＥの領域の輝度を向上させる。なお、壁面Ｗ１と舌片ＴＮＧの間に実施例１で説明したような壁面Ｗ２を設けることもできる。
【００３３】
実施例５によっても、液晶表示装置の額縁を広く取ることなしに、表示領域全面で良好な輝度分布をもつ液晶表示装置が実現される。
【実施例６】
【００３４】
図１０は、本発明の液晶表示装置の実施例６を説明するサイドフレームの要部上面図である。図１０は図９と同様のサイドフレームＳＦＬの上面図である。実施例６のサイドフレームＳＦＬも、給電端子（図示せず）を固定する下サイドフレームＳＦＬ―Ｂと、給電端子に接続した外部電極蛍光管ＥＥＦＬの外部電極ＥＥをカバーして下サイドフレームＳＦＬ―Ｂに組み付けられる上サイドフレームＳＦＬ―Ａとで構成される。
【００３５】
実施例６では、実施例５の舌片ＴＮＧとして、先端に行くに伴って幅狭となる鋸歯状としたものである。舌片ＴＮＧをこのような形状としたことで、外部電極蛍光管ＥＥＦＬの下面にある反射板の反射光も外部電極蛍光管ＥＥＦＬの端部における輝度改善に利用できる。この舌片ＴＮＧの作用も実施例５と同様である。なお、壁面Ｗ１と舌片ＴＮＧの間に実施例１で説明したような壁面Ｗ２を設けることもできることは実施例５と同様である。。
【００３６】
実施例６によっても、液晶表示装置の額縁を広く取ることなしに、表示領域全面で良好な輝度分布をもつ液晶表示装置が実現される。
【実施例７】
【００３７】
図１１は、本発明の液晶表示装置の実施例７を説明するサイドフレームの要部図である。図１１（ａ）は図９と同様のサイドフレームＳＦＬの上面図、図１１（ｂ）および図１１(ｃ)は図１１（ａ）における舌片の横断面図である。実施例７のサイドフレームＳＦＬも、給電端子（図示せず）を固定する下サイドフレームＳＦＬ―Ｂと、給電端子に接続した外部電極蛍光管ＥＥＦＬの外部電極ＥＥをカバーして下サイドフレームＳＦＬ―Ｂに組み付けられる上サイドフレームＳＦＬ―Ａとで構成される。
【００３８】
実施例７では、実施例５で説明した舌片ＴＮＧとして、実施例５の短冊形の舌片ＴＮＧの中央部分を折り曲げて断面が山形となるようにしたものである。この舌片ＴＮＧの山形は図１１（ｂ）のような正山形でも、図１１(ｃ)のような逆山形でもよい。舌片ＴＮＧをこのような形状としたことで、外部電極蛍光管ＥＥＦＬの発光の一部を外部電極蛍光管ＥＥＦＬの配列方向にも散乱反射させて外部電極蛍光管ＥＥＦＬの端部における輝度改善に利用する。なお、壁面Ｗ１と舌片ＴＮＧの間に実施例１で説明したような壁面Ｗ２を設けることもできることは実施例５、６と同様である。。
【００３９】
実施例７によっても、液晶表示装置の額縁を広く取ることなしに、表示領域全面で良好な輝度分布をもつ液晶表示装置が実現される。
【００４０】
また、前記上サイドフレームに設ける各実施例の庇と各実施例の舌片とを組み合わせることで、さらに良好な輝度むら補償を実現することもできる。
【図面の簡単な説明】
【００４１】
【図１】本発明による液晶表示装置で用いられるバックライト構造体の実施例を説明する展開斜視図である。
【図２】図１のサイドフレームＳＦＬの要部を拡大した図である。
【図３】図２の切断面Ａで切断した断面図である。
【図４】図２の切断面Ｂで切断した断面図である。
【図５】本発明の液晶表示装置の実施例２を説明する上サイドフレームの要部斜視図である。
【図６】本発明の液晶表示装置の実施例３を説明する上サイドフレームの要部斜視図である。
【図７】本発明の液晶表示装置の実施例４を説明する上サイドフレームの要部斜視図である。
【図８】本発明の液晶表示装置の実施例５を説明するサイドフレームの要部断面図である。
【図９】図８の上面図である。
【図１０】本発明の液晶表示装置の実施例６を説明するサイドフレームの要部上面図である。
【図１１】本発明の液晶表示装置の実施例７を説明するサイドフレームの要部図である。
【符号の説明】
【００４２】
ＲＰＬ・・・裏面プレート、ＭＬＤ・・・モールドフレーム、ＲＦＢ・・・反射シート、ＥＥＦＬ・・・外部電極蛍光管、ＥＥ・・・外部電極、ＳＭＬ・・・サイドフレーム、ＳＭＬ―Ａ・・・上サイドフレーム、ＳＭＬ―Ｂ・・・下サイドフレーム、ＤＦＢ・・・拡散板、ＯＣＳ・・・光学補償シート類、ＰＮＴ・・・庇、ＴＮＧ・・・舌片。
【図１】
2008058851.tif 000003
【図２】
2008058851.tif 000004
【図３】
2008058851.tif 000005
【図４】
2008058851.tif 000006
【図５】
2008058851.tif 000007
【図６】
2008058851.tif 000008
【図７】
2008058851.tif 000009
【図８】
2008058851.tif 000010
【図９】
2008058851.tif 000011
【図１０】
2008058851.tif 000012
【図１１】
2008058851.tif 000013